(57)【要約】【課題】磁気ヘッドに安定した直流電流を供給することができる磁気テープドライブを提供する。【解決手段】複合型磁気ヘッド１２が配設されているとともに、中空部１１ａを有する回転シリンダ１１と、この中空部１１ａを取り囲む回転シリンダ１１の内壁面に配設されるとともに、前記複合型磁気ヘッド１２に電力を供給する光電変換素子２０と、この光電変換素子２０に向けて光Ｌを照射する光源１５とを備えている。【選択図】      図  １
2004362688.tif 000002
【特許請求の範囲】
【請求項１】
データの再生を行う磁気ヘッドが、その周面に配設されているとともに、中空部を有する回転シリンダと、
この中空部を取り囲む回転シリンダの内壁面に配設されるとともに、前記磁気ヘッドに電力を供給する光電変換素子と、
この光電変換素子に向けて光を照射する光照射機構とを備えることを特徴とする磁気テープドライブ。
【請求項２】
前記回転シリンダをその回転軸周りに回転可能に支持する管状シャフトをさらに備え、
前記光照射機構が、前記管状シャフトの一端側から当該管状シャフト内に向けて光を照射する光源と、
前記管状シャフトの他端側に配置されて、当該他端側から前記光が前記光電変換素子に向かうようにその光路を変更させる光路変更部材とを備えていることを特徴とする請求項１に記載の磁気テープドライブ。
【発明の詳細な説明】
【０００１】
【発明の属する技術分野】
本発明は、磁気ヘッドが回転シリンダの周面に配設された磁気テープドライブに関する。
【０００２】
【従来の技術】
従来、太陽電池を備えた磁気テープドライブが知られている（例えば、特許文献１参照）。この磁気テープドライブは、図５に示すように、太陽電池３０が回転シリンダ３１の上面に取り付けられており、この磁気テープドライブでは、太陽電池３０によって回転シリンダ３１の周面に配設された磁気ヘッド３３に電力が供給されている。
【０００３】
このような磁気テープドライブでは、ガイド３４に案内されて走行する磁気テープＭＴが回転シリンダ３１の周面と摺接した際に、回転する磁気ヘッド３３が、磁気テープＭＴを斜めに横切るたびに当該磁気テープＭＴに対するデータの記録再生を行う。その一方で、この磁気テープドライブでは、回転シリンダ３１及び固定シリンダ３５のそれぞれに配置された図示しないロータリートランスを経由して磁気ヘッド３３に交流電力が供給されるほか、太陽電池３０で発電された直流電流が磁気ヘッド３３に供給される。その結果、この磁気テープドライブによれば、これ以前の回転シリンダ型の磁気テープドライブでは、直流のセンス電流の供給が必要なために使用できなかった磁気抵抗効果型ヘッドが使用可能となる。したがって、この磁気テープドライブによれば、データの再生感度をより一層高めることができる。
【０００４】
【特許文献１】
特開平８−２４９６１８号公報（段落番号（００１２）、図１及び図２）
【０００５】
【発明が解決しようとする課題】
しかしながら、この磁気テープドライブは、太陽電池３０が回転シリンダ３１の上面に取り付けられているため、太陽電池３０での発電が外乱光によって不安定になる場合がある。その結果、磁気抵抗効果型ヘッドに供給するセンス電流を一定に制御するのが困難になるという問題がある。
【０００６】
また、この磁気テープドライブのように、太陽電池３０を回転シリンダ３１の上面に取り付けた構造は、上下１対の固定シリンダの間に回転シリンダが配置された、いわゆる中シリンダ方式の磁気テープドライブに応用することができない。
【０００７】
そこで、本発明の課題は、回転シリンダの配置位置によって区別される方式を問わずに、磁気ヘッドに安定した直流電流を供給することができる磁気テープドライブを提供することにある。
【０００８】
【課題を解決するための手段】
前記課題を解決するための請求項１に記載の磁気テープドライブは、データの再生を行う磁気ヘッドが、その周面に配設されているとともに、中空部を有する回転シリンダと、この中空部を取り囲む回転シリンダの内壁面に配設されるとともに、前記磁気ヘッドに電力を供給する光電変換素子と、この光電変換素子に向けて光を照射する光照射機構とを備えることを特徴とする。
【０００９】
この磁気テープドライブでは、光が光照射機構によって光電変換素子に向けて照射されると、光電変換素子は、受けた光によって発電するとともに、この発電よって得られた直流電流を磁気ヘッドに供給する。そして、この磁気テープドライブでは、光電変換素子が、回転シリンダの中空部を取り囲む内壁面に配設されているので、発電する際に外乱光の影響を受けることはない。したがって、この磁気テープドライブによれば、光電変換素子は安定して直流電流を出力することができる。その結果、例えば、磁気テープドライブが再生用の磁気ヘッドとして磁気抵抗効果型ヘッドを搭載する場合に、磁気抵抗効果型ヘッドに対して一定値に維持されたセンス電流を供給することができる。
【００１０】
また、この磁気テープドライブによれば、光電変換素子が回転シリンダの前記内壁面に配設されているので、例えば、中シリンダ方式の磁気テープドライブにもその構造が適用することができる。
【００１１】
請求項２に記載の発明は、請求項１に記載の磁気テープドライブにおいて、前記回転シリンダをその回転軸周りに回転可能に支持する管状シャフトをさらに備え、前記光照射機構が、前記管状シャフトの一端側から当該管状シャフト内に向けて光を照射する光源と、前記管状シャフトの他端側に配置されて、当該他端側から前記光が前記光電変換素子に向かうようにその光路を変更させる光路変更部材とを備えていることを特徴とする。
【００１２】
この磁気テープドライブでは、光源によって管状シャフトの一端側から管状シャフト内に向けて照射された光は、管状シャフト内を通過するとともに、管状シャフトの他端側に配置された光路変更部材によって光電変換素子に向かう。そして、光電変換素子は、この光を受け止めることによって発電する。
【００１３】
また、本発明の磁気テープドライブは、請求項１に記載の磁気テープドライブにおいて、前記光照射機構が、回転シリンダの中空部内に配設されるとともに、前記光電変換素子に向けて光を照射する光源で構成されていてもよい。
【００１４】
【発明の実施の形態】
（第１の実施の形態）
次に、本発明に係る磁気テープドライブの第１の実施の形態について、適宜図面を参照しながら説明する。本実施の形態では、ヘリカルスキャン方式の磁気テープドライブについて説明する。参照する図面において、図１（ａ）は、本実施の形態に係る磁気テープドライブの記録再生部分の断面図、図１（ｂ）は、図１（ａ）のＸ−Ｘ線における断面図である。
【００１５】
図１（ａ）に示すように、本実施の形態に係る磁気テープドライブＡは、主に、回転シリンダ１１と、複合型磁気ヘッド１２と、固定シリンダ１３と、管状シャフト１４と、光源１５と、ミラー１６と、軸受け１７と、ロータ１８ａ及びステータ１８ｂとで構成されるモータと、上部ロータリートランス１９ａ及び下部ロータリートランス１９ｂとからなるロータリートランスと、光電変換素子２０とを備えている。また、この磁気テープドライブＡには、図示しないが、回転シリンダ１１側に向けて磁気テープを送り込むための送出リール、巻取リール、これらリールを駆動する駆動装置及びガイドで構成される公知の磁気テープ走行系や、磁気テープへのデータの記録再生や前記駆動装置を制御する公知の制御系等が設けられている。
【００１６】
回転シリンダ１１は、固定シリンダ１３の上方に配置されており、その外形が円柱形状の部材であって、円柱形状の中空部１１ａを有している。また、回転シリンダ１１の下部には、中空部１１ａに連絡する孔１１ｂが形成されており、この孔１１ｂから中空部１１ａ内に管状シャフト１４の先端部が挿入されている。また、回転シリンダ１１の下端部には、１対の複合型磁気ヘッド１２が回転シリンダ１１の周面に臨むようにヘッドベース１２ａを介して配設されている。複合型磁気ヘッド１２は、図示しない電磁誘導型記録ヘッド及び磁気抵抗効果型ヘッド（再生ヘッド）で構成されており、回転シリンダ１１の周面の対極位置にそれぞれ配設されている。
【００１７】
固定シリンダ１３は、その外形が円柱形状の部材であって、回転シリンダ１１の外径と同じ外径になるように構成されているとともに、回転シリンダ１１と向き合う側に開口する内部空間１３ａが形成されている。そして、この固定シリンダ１３は、管状シャフト１４周りに固定されている。
【００１８】
管状シャフト１４は、その内部に光ファイバ１４ｂが配設されており、この光ファイバ１４ｂは、光Ｌの導通路になっている。そして、この管状シャフト１４の下端部には、光源１５が配設されている。また、回転シリンダ１１の中空部１１ａ内に延びる管状シャフト１４の先端部には、管状シャフト１４内にミラー１６が配設されている。このミラー１６は、光源１５から管状シャフト１４内に向けて照射された光Ｌが、回転シリンダ１１の中空部１１ａを取り囲む内周壁面に向かうように、その傾斜角度が調節されている。また、管状シャフト１４の先端部は、ミラー１６で反射された光Ｌが透過可能なように、透明部材１４ａで構成されている。なお、ここで中空部１１ａの内周壁面は、特許請求の範囲にいう「内壁面」に相当し、管状シャフト１４の下端部は、特許請求の範囲にいう「管状シャフト１４の一端側」に相当し、管状シャフト１４の上端部は、特許請求の範囲にいう「管状シャフト１４の他端側」に相当する。また、ミラー１６は、特許請求の範囲にいう「光路変更部材」に相当し、このミラー１６並びに前記した光源１５及び光ファイバ１４ｂは、特許請求の範囲にいう「光照射機構」に相当する。
【００１９】
軸受け１７は、管状シャフト１４が回転可能にこれを受け止めるものであり、回転シリンダ１１の下部に形成された孔１１ｂの内径と同じ外径の円筒部１７ａと、この円筒部１７ａの下端側に接続されたフランジ部１７ｂとを備えている。この軸受け１７は、その円筒部１７ａの上端側が回転シリンダ１１の下部に形成された孔１１ｂに嵌め込まれるとともに回転シリンダ１１に固定されており、管状シャフト１４の先端部が回転シリンダ１１の中空部１１ａ内に配置されるようにこれを支持するとともに、回転シリンダ１１を、管状シャフト１４周りに回転可能にしている。
【００２０】
このような軸受け１７のフランジ部１７ｂには、ロータ１８ａと、上部ロータリートランス１９ａとが設けられている。ロータ１８ａは、フランジ部１７ｂの外周面に沿うようにリング状に配置されている。そして、ロータ１８ａとともにモータを構成するステータ１８ｂは、このロータ１８ａと向き合うように、固定シリンダ１３の内部空間１３ａを取り囲む内壁に配置されている。
【００２１】
上部ロータリートランス１９ａは、フランジ部１７ｂの下面に配置されている。そして、下部ロータリートランス１９ｂは、上部ロータリートランス１９ａと向き合うように、固定シリンダ１３の内部空間１３ａの底部に配置されている。これら上部及び下部ロータリートランス１９ａ，１９ｂは、協働して複合型磁気ヘッド１２に交流電流を供給するように構成されている。また、複合型磁気ヘッド１２に対する記録再生信号の授受は、上部及び下部ロータリートランス１９ａ，１９ｂを介して行われるようになっている。
【００２２】
光電変換素子２０は、複合型磁気ヘッド１２を構成する磁気抵抗効果型ヘッドでセンス電流として利用される直流電流を生起するものであり、この光電変換素子２０としては、例えば、光Ｌを受けて発電する太陽電池を使用することができる。この光電変換素子２０は、図１（ｂ）を併せて参照すると明らかなように、ミラー１６で反射された光Ｌが向かう位置、つまり、回転シリンダ１１の中空部１１ａを取り囲む内周壁面に沿うようにその全周にわたって形成されている。
【００２３】
次に、本実施の形態に係る磁気テープドライブＡの動作について説明する。まず、ロータ１８ａ及びステータ１８ｂで構成されるモータによって、回転シリンダ１１が管状シャフト１４周りに回転するとともに、光源１５からは光Ｌが管状シャフト１４内に照射される（図１（ａ）参照）。そして、図示しない磁気テープ走行系によって、磁気テープが回転シリンダ１１側に向けて送り込まれると、回転シリンダ１１に配設された複合型磁気ヘッド１２は、回転シリンダ１１の周面を摺接する磁気テープを斜めに横切るようにして、その電磁誘導型記録ヘッド（図示せず）が、磁気テープに対してデータの記録を行う（例えば、図５参照）。この際、電磁誘導型記録ヘッドへのデータ信号の送信及び電力の供給は、上部及び下部ロータリートランス１９ａ，１９ｂ（図１（ａ）参照）を介して行われる。
【００２４】
その一方で、磁気テープに記録されたデータを再生するに際には、複合型磁気ヘッド１２の磁気抵抗効果型ヘッド（図示せず）が、回転シリンダ１１の周面に摺接する磁気テープを横切るようにして磁気テープに記録されたデータを再生する。このデータの再生は、磁気抵抗効果型ヘッドに供給したセンス電流の電圧の変化を読み取ることによって行われる。このセンス電流には、図１（ｂ）に示すように、ミラー１６で反射された光Ｌを光電変換素子２０が受けることによって生起した直流電流が利用される。
【００２５】
本実施の形態に係る磁気テープドライブＡでは、光電変換素子２０が、回転シリンダ１１の中空部１１ａを取り囲む内周壁面に配設されているので、発電する際に外乱光の影響を受けることはない。したがって、この磁気テープドライブＡによれば、光電変換素子２０は安定して直流電流を出力することができる。その結果、磁気抵抗効果型ヘッドに対して一定値に維持されたセンス電流を供給することができるので、磁気テープに記録されたデータを正確にその電圧の変化として再生することができる。
【００２６】
また、本実施の形態に係る磁気テープドライブＡでは、管状シャフト１４内の光導通路に光ファイバ１４ｂが配置されているので、光Ｌを効率よく通過させることができる。
【００２７】
（第２の実施の形態）
次に、本発明に係る磁気テープドライブの第２の実施の形態について、適宜図面を参照しながら説明する。参照する図面において、図２は、本実施の形態に係る磁気テープドライブの記録再生部分の断面図である。なお、本実施の形態では、第１の実施の形態と同様の部分については同じ符合を付して説明を省略する。
【００２８】
図２に示すように、本実施の形態に係る磁気テープドライブＢは、主に、上部固定シリンダ２１ａと、下部固定シリンダ２１ｂと、回転シリンダ１１と、複合型磁気ヘッド１２と、管状シャフト２５と、光源１５と、ミラー１６と、軸受け２６と、モータ２７と、光電変換素子２０とを備えている。また、この磁気テープドライブＢは、図示しないが、第１の実施の形態に係る磁気テープドライブＡと同様に、ロータリートランス、磁気テープ走行系及び制御系等が設けられている。
【００２９】
上部固定シリンダ２１ａは、その外形が円柱形状の部材で構成されている。下部固定シリンダ２１ｂは、回転シリンダ１１を介して、上部固定シリンダ２１ａの下方に配置されており、その外形が円柱形状の部材であって、上部固定シリンダ２１ａの外径と同じ外径になるように構成されている。これら上部及び下部固定シリンダ２１ａ，２１ｂのそれぞれには、その中心軸に沿う方向に管状シャフト２５を挿通するための孔２１ｃが形成されている。そして、これら上部及び下部固定シリンダ２１ａ，２１ｂは、固定部材２１ｄで相互に固定されている。
【００３０】
これら上部及び下部固定シリンダ２１ａ，２１ｂの間に配置された回転シリンダ１１は、その外形が円柱形状の部材であって、上部及び下部固定シリンダ２１ａ，２１ｂの外径と同じ外径になるように構成されているとともに、円柱形状の中空部１１ａを有している。この回転シリンダ１１は、管状シャフト２５周りに固定されている。そして、回転シリンダ１１の下端部には、第１の実施の形態に係る磁気テープドライブＡと同様に、回転シリンダ１１の周面に臨むように１対の複合型磁気ヘッド１２が配設されている。
【００３１】
管状シャフト２５は、中空部２５ａを有しており、その中空部２５ａには、光Ｌの導通路が設定されている。そして、この管状シャフト２５は、前記したように回転シリンダ１１をこの管状シャフト２５周りに固定するとともに、上部及び下部固定シリンダ２１ａ，２１ｂに形成された孔２１ｃ，２１ｃに挿通されている。この管状シャフト２５の下端部には、光源１５が配設されている。また、回転シリンダ１１の中空部１１ａ内で延びる管状シャフト２５内には、ミラー１６が配設されている。このミラー１６は、光源１５から管状シャフト２５内に向けて照射された光Ｌが、回転シリンダ１１の中空部１１ａを取り囲む内周壁面に向かうように、その傾斜角度が調節されている。また、中空部１１ａで延びる管状シャフト２５は、ミラー１６で反射された光Ｌが透過可能なように、透明部材２５ａで構成されている。そして、この管状シャフト２５の上端部には、この管状シャフト２５を回転させるモータ２７が配設されている。
【００３２】
軸受け２６は、管状シャフト２５を回転可能に受け止めるものであり、上部及び下部固定シリンダ２１ａ，２１ｂに形成された孔２１ｃ，２１ｃの内周面と管状シャフト２５との間に配設されている。この軸受け２６，２６によって、管状シャフト２５は、当該孔２１ｃ，２１ｃ内で回転可能になっている。
【００３３】
光電変換素子２０は、第１の実施の形態に係る磁気テープドライブＡと同様に、ミラー１６で反射された光Ｌが向かう位置、つまり、回転シリンダ１１の中空部１１ａを取り囲む内周壁面に沿うように配置されている（図１（ａ）参照）。
【００３４】
次に、本実施の形態に係る磁気テープドライブＢの動作について説明する。まず、モータ２７によって管状シャフト２５が回転することによって、回転シリンダ１１が回転するとともに、光源１５からは光Ｌが管状シャフト２５内に照射される（図２参照）。そして、第１の実施の形態に係る磁気テープドライブＡと同様に、磁気抵抗効果型ヘッド（図示せず）に供給されるセンス電流には、ミラー１６で反射された光Ｌを光電変換素子２０が受けることによって生起した直流電流が利用される（図１（ａ）参照）。
【００３５】
本実施の形態に係る磁気テープドライブＢでは、光電変換素子２０が、回転シリンダ１１の中空部１１ａを取り囲む内壁面に配設されているので、発電する際に外乱光の影響を受けることはない。したがって、この磁気テープドライブによれば、光電変換素子２０は安定して直流電流を出力することができる。その結果、磁気抵抗効果型ヘッドに対して一定値に維持されたセンス電流を供給することができるので、磁気テープに記録されたデータを正確にその電圧の変化として再生することができる。
【００３６】
以上、本発明は、前記実施の形態に限定されることなく、様々な形態で実施される。
例えば、第１の実施の形態では、光電変換素子２０を回転シリンダ１１の内周壁面に沿うように配置したが（図１（ｂ）参照）、本発明は、回転シリンダ１１の内壁面に配設されていればよく、例えば、図３（ａ）に示すように、光電変換素子２０が回転シリンダ１１の中空部１１ａの天井面１１ｃに配設されたものでもよいし、図３（ｂ）に示すように、ミラー１６を取り囲むように配設された円筒形状の光電変換素子２０を備えるものであってもよい。なお、図３（ａ）に示すように、光源１５から照射されて、管状シャフト１４内を通過する光Ｌの光路上に光電変換素子２０が配設された磁気テープドライブは、ミラー１６を配設しなくともよい。
【００３７】
また、第１の実施の形態では、光源１５から照射された光Ｌを、管状シャフト１４内を通過させることによって回転シリンダ１１内に導き、その光Ｌが光電変換素子２０に照射されるように磁気テープドライブＡが構成されているが、本発明は、これに限定されるものではなく、図３（ｃ）に示すように、光源１５が回転シリンダ１１の中空部１１ａに配設されたものであってもよい。この磁気テープドライブの構造は、第２の実施の形態で例示したような、上部及び下部固定シリンダ２１ａ，２１ｂと、これらの固定シリンダ２１ａ，２１ｂの間に配置される回転シリンダ１１とを有する磁気テープドライブＢ（図２参照）にも応用することができる。なお、このような構造の磁気テープドライブは、前記した管状シャフト１４，２５（図１（ａ）及び図２参照）に代えて、棒状のシャフト２８（図３（ｃ）参照）を備えたものであってもよい。また、このような構造の磁気テープドライブにおいて、前記した光源１５への電力の供給は、管状シャフト１４，２５または前記棒状のシャフト２８に設けた配線（図示せず）を介して行ってもよいし、あるいは前記したロータリートランスを介して行ってもよい。
【００３８】
また、第２の実施の形態では、光電変換素子２０を回転シリンダ１１の中空部１１ａを取り囲む内周壁面の全てにわたって配設しているが、本発明は、これに限定されるものではなく、図４に示すように、回転シリンダ１１の回転に伴って回転するミラー１６から光Ｌが照射される範囲の内周壁面にのみ光電変換素子２０が配設されたものであってもよい。このような構造の磁気テープドライブでは、配置された光電変換素子２０の対極位置に、この光電変換素子２０の重量に相当するバランス２９が配置されたものが好ましい。このような磁気テープドライブによれば、回転シリンダ１１の円滑な回転が維持される。なお、前記バランス２９は、光電変換素子２０であってもよい。
【００３９】
また、第１及び第２の実施の形態では、光路変更部材としてミラー１６を使用しているが、本発明は、これに限定されるものではなく、ミラー１６に代えてプリズムが使用されたものでもよいし、あるいは、光ファイバ１４ｂ（図１（ａ）参照）の光Ｌの出口が光電変換素子２０に向くように光ファイバ１４ｂが歪曲されたものであってもよい。
【００４０】
【発明の効果】
本発明の磁気テープドライブによれば、回転シリンダの配置位置によって区別される方式を問わずに、磁気ヘッドに安定した直流電流を供給することができる。
【図面の簡単な説明】
【図１】図１（ａ）は、第１の実施の形態に係る磁気テープドライブの記録再生部分の断面図、図１（ｂ）は、図１（ａ）のＸ−Ｘ線における断面図である。
【図２】第２の実施の形態に係る磁気テープドライブの記録再生部分の断面図である。
【図３】他の実施の形態に係る磁気テープドライブの記録再生部分の模式図である。
【図４】他の実施の形態に係る磁気テープドライブにおける光電変換素子の配置位置を示す図である。
【図５】従来の磁気テープドライブの斜視図である。
【符号の説明】
１１    回転シリンダ
１１ａ  中空部
１２    複合型磁気ヘッド（磁気ヘッド）
１４    管状シャフト
１４ｂ  光ファイバ（光照射機構の一構成部材）
１５    光源（光照射機構の一構成部材）
１６    ミラー（光路変更部材、光照射機構の一構成部材）
２０    光電変換素子
【図１】
2004362688.tif 000003
【図２】
2004362688.tif 000004
【図３】
2004362688.tif 000005
【図４】
2004362688.tif 000006
【図５】
2004362688.tif 000007